(57)【要約】【課題】お客に渡す保証書と、販売店が控える製造番号のラベルとを一体にした保証書用紙を提供することにある。【解決手段】商品名が記載された商品名記載欄、製造番号が記載された製造番号記載欄、保証期間を記載するための保証期間記載欄、販売店名を記載するための販売店名記載欄が表面に印刷された印刷用紙部と、印刷用紙部からミシン目を介して延設され、表面にシリコンが塗布された台紙部１８と、台紙部１８から折り目を介して延設され、表面に接着剤が塗布され、裏面に製造番号が記載され、この製造番号を囲むように形成された切断線２８を有するラベル部２０とを有し、ラベル部２０が台紙部１８に折り返されて貼り付けられているものである。【選択図】      図３
2011131540.tif 000002
【特許請求の範囲】
【請求項１】
商品名が記載された商品名記載欄、商品の製造番号が記載された製造番号記載欄、保証期間を記載するための保証期間記載欄、販売店名を記載するための販売店記載欄が表面、又は、裏面に少なくとも印刷された印刷用紙部と、
前記印刷用紙部からミシン目を介して延設され、表面にシリコンが塗布された台紙部と、
前記台紙部から折り目を介して延設され、表面に接着剤が塗布され、裏面に前記製造番号が記載された製造番号記載欄と、前記製造番号記載欄を囲むように形成された切断線とを有するラベル部と、
を有し、前記ラベル部が前記台紙部に折り返されて、前記ラベル部の表面が前記台紙部の表面に貼り付けられている、
ことを特徴とする保証書用紙。
【請求項２】
前記印刷用紙部は、
前記商品名記載欄、前記製造番号記載欄、前記保証期間記載欄、前記販売店記載欄が印刷された用紙部と、
前記商品の販売元が少なくとも記載された用紙部と、
を有することを特徴とする請求項１に記載の保証書用紙。
【請求項３】
用紙の印刷用紙部に商品名を記載するための商品名記載欄、商品の製造番号を印字するための製造番号記載欄、保証期間を記載するための保証期間記載欄、販売店名を記載するための販売店記載欄を表面、又は、裏面に少なくとも印刷する工程と、
前記印刷用紙部から延設された台紙部の表面にシリコン樹脂を塗布する工程と、
前記台紙部から延設されたラベル部の表面に接着剤を塗布する工程と、
前記ラベル部を前記台紙部に折り返して、前記ラベル部の表面を前記台紙部の表面に貼り付ける工程と、
前記ラベル部の製造番号記載欄を囲むように、前記ラベル部にのみ切断線を形成する工程と、
前記印刷用紙部の前記製造番号記載欄と前記ラベル部の前記製造番号記載欄に前記商品の製造番号を印字する工程と、
前記台紙部と前記印刷用紙部との間に折り目を形成する工程と、
を有することを特徴とする保証書用紙の製造方法。
【請求項４】
前記製造番号を印字する工程において、前記印刷用紙部の前記商品名記載欄に商品名も印字する、
ことを特徴とする請求項１記載の保証書用紙の製造方法。
【発明の詳細な説明】
【技術分野】
【０００１】
電気製品等の商品に添付される保証書の用紙に関するものである。
【背景技術】
【０００２】
携帯電話等の電気製品においては、製造番号が記載された保証書が添付されている。しかし、販売店においても販売した商品の製造番号を控えておく必要があるため、従来より、製造番号が記載されたラベルが袋に保証書と一緒に収納されている。そして、販売店が商品を販売するときに、保証書をお客に渡し、ラベルに記載された製造番号を販売店の記録台帳又は登録申込書に貼り付けている。この製造番号が記載されたラベルは、例えば特許文献１に記載されたような製造方法で製造することができる。すなわち、このラベルは、基材と、基材の裏面に設けられた接着剤層と、この接着剤層に仮止めされた剥離紙とより形成され、基材を剥離紙から剥がし、基材の裏面に有る接着剤層で記録台帳又は登録申込書に貼り付ける。
【先行技術文献】
【特許文献】
【０００３】
【特許文献１】特開平３−１２３３８４号公報
【発明の概要】
【発明が解決しようとする課題】
【０００４】
しかしながら、上記のように保証書と、製造番号が記載されたラベルとをセットにして袋詰めしたものであると、その製造段階において次のような問題点が発生する。
【０００５】
第１の問題点は、保証書に記載された製造番号と、ラベルに記載された製造番号との番号合わせをする必要があり、その照合作業が非常に手間であるということである。
【０００６】
第２の問題点は、保証書とラベルを一つの袋に入れる作業が煩雑となり、また、この袋は商品を販売した後は不要になり、環境問題から見ても問題がある。
【０００７】
そこで、本発明は、上記問題点に鑑み、お客に渡す保証書と、販売店が控える製造番号のラベルとを一体にした保証書用紙を提供することにある。
【課題を解決するための手段】
【０００８】
本発明の一実施形態は、商品名が記載された商品名記載欄、商品の製造番号が記載された製造番号記載欄、保証期間を記載するための保証期間記載欄、販売店名を記載するための販売店記載欄が表面、又は、裏面に少なくとも印刷された印刷用紙部と、前記印刷用紙部からミシン目を介して延設され、表面にシリコンが塗布された台紙部と、前記台紙部から折り目を介して延設され、表面に接着剤が塗布され、裏面に前記製造番号が記載された製造番号記載欄と、前記製造番号記載欄を囲むように形成された切断線とを有するラベル部と、を有し、前記ラベル部が前記台紙部に折り返されて、前記ラベル部の表面が前記台紙部の表面に貼り付けられている、ことを特徴とする保証書用紙である。
【０００９】
また、本発明の一実施形態は、用紙の印刷用紙部に商品名を記載するための商品名記載欄、商品の製造番号を印字するための製造番号記載欄、保証期間を記載するための保証期間記載欄、販売店名を記載するための販売店記載欄を表面、又は、裏面に少なくとも印刷する工程と、前記印刷用紙部から延設された台紙部の表面にシリコン樹脂を塗布する工程と、前記台紙部から延設されたラベル部の表面に接着剤を塗布する工程と、前記ラベル部を前記台紙部に折り返して、前記ラベル部の表面を前記台紙部の表面に貼り付ける工程と、前記ラベル部の製造番号記載欄を囲むように、前記ラベル部にのみ切断線を形成する工程と、前記印刷用紙部の前記製造番号記載欄と前記ラベル部の前記製造番号記載欄に前記商品の製造番号を印字する工程と、前記台紙部と前記印刷用紙部との間に折り目を形成する工程と、を有することを特徴とする保証書用紙の製造方法である。
【発明の効果】
【００１０】
本発明によれば、お客に渡す保証書と、販売店が控えるラベル部とを一体にすることができる。
【図面の簡単な説明】
【００１１】
【図１】本発明の一実施例に係る保証書用紙の表面から見た図である。
【図２】ラベル部を台紙部に折り返す前の保証書用紙の斜視図である。
【図３】ラベル部を台紙部に折り返そうとしている保証書用紙の斜視図である。
【図４】保証書用紙の製造方法を示すフローチャートである。
【発明を実施するための形態】
【００１２】
以下、本発明の一実施例の保証書用紙１０について、図１〜図４に基づいて説明する。
【００１３】
（１）保証書用紙１０の構成
保証書用紙１０の構成について説明する。
【００１４】
保証書用紙１０は、長方形状の表紙部１２、長方形状の第１用紙部１４、長方形状の第２用紙部１６、長方形状の台紙部１８、長方形状のラベル部２０とが順番に連続して形成されたものであり、上質紙より形成されている。そして、表紙部１２、第１用紙部１４及び第２用紙部１６から印刷用紙部が構成されている。
【００１５】
まず、表紙部１２の表面には、「保証書」と印刷されている。
【００１６】
第１用紙部１４の表面には、商品名記載欄に商品名が記載され、製造番号記載欄に製造番号が印字され、保証期間欄に保証期間と、その始期を示すお買い上げ日記載欄が記載され、販売店記載欄が記載されている。表紙部１２と第１用紙部１４との間には、折り目２２が形成されている。
【００１７】
第２用紙部１６の表面には、販売元の会社やその他の事項が記載されている。第１用紙部１４と第２用紙部１６との間にも折り目２４が形成されている。
【００１８】
台紙部１８の表面には、シリコン樹脂が塗布されている。第２用紙部１６と台紙部１８との間に、ミシン目２６が形成されている。
【００１９】
ラベル部２０の表面には、接着剤が塗布されている。ラベル部２０の裏面には、製造番号と製造番号を示すバーコードが印刷されている。また、製造番号とバーコードをそれぞれ囲むようにそれぞれ切断線２８，３０が形成されている。そして、ラベル部２０の表面を、折り目３２で折って台紙部１８の表面に貼り付けている。
【００２０】
また、表紙部１２、第１用紙部１４の裏面には、商品の保証規定が印刷されている。第２用紙部１６の裏面には、受付内容、修理内容、受付店、年月日を記載する表が印刷されている。
【００２１】
保証書用紙１０は、折り目２２、２４、ミシン目２６で折り返され、表紙部１２が表面となる。
【００２２】
（２）保証書用紙１０の製造方法
保証書用紙１０の製造方法について図４のフローチャートに基づいて説明する。
【００２３】
まず、この保証書用紙１０が複数枚形成することができる大判の上質紙を用意する。
【００２４】
第１工程において、大判の上質紙に複数の保証書用紙１０を同時にオフセット印刷する。すなわち、各保証書用紙１０の表紙部１２、第１用紙部１４、第２用紙部１６、台紙部１８及びラベル部２０の表面と裏面に必要事項をオフセット印刷する。この場合に、第１用紙部１４における商品名と製造番号及びラベル部２０における製造番号とバーコードの印字しない。
【００２５】
第２工程において、台紙部１８の表面にシリコン樹脂を塗布する（図２、図３においてハッチ線で示す範囲である）。
【００２６】
第３工程において、ラベル部２０の表面にホットメルト系の接着剤を塗布する（図２、図３において複数の点で示す範囲である）。
【００２７】
第４工程において、台紙部１８とラベル部２０との間に折り目３２を形成し、ラベル部２０の接着剤が塗布された表面を、台紙部１８のシリコン樹脂が塗布された表面に貼り付ける。
【００２８】
第５工程において、台紙部１８と第２用紙部１６との間にミシン目２６を形成する。
【００２９】
第６工程において、ラベル部２０にのみ切断線２８、３０を形成するためにハーフ抜き工程を行い、製造番号とバーコードを記載するための欄を形成する。
【００３０】
第７工程において、上記のように製造した大判の上質紙から、例えば３枚組の保証書用紙１０を断裁する。この第１工程〜第７工程までを行い、商品名、製造番号、バーコードが記載されていない保証書用紙１０を大量に製造しておく。そして、依頼者から保証書用紙１０の印刷の依頼があり、依頼者から商品名と製造番号が知らされたときに次の工程に進む。
【００３１】
第８工程において、第１用紙部１４の商品名記載欄と製造番号記載欄及びラベル部２０の製造番号記載欄とバーコード記載欄にそれぞれレーザープリンタで商品名と製造番号、バーコードを同時に印字する。
【００３２】
第９工程において、表紙部１２と第１用紙部１４の間に折り目２２を形成し、第１用紙部１４と第２用紙部１６との間に折り目２４を形成する。また、ミシン目２６も折って折り目とする。
【００３３】
第１０工程において、３枚一組となっている保証書用紙１０を、それぞれ断裁して３枚の保証書用紙１０を形成する。これで製造が終了する。
【００３４】
（３）保証書用紙１０の使用方法
保証書用紙１０の使用方法について説明する。
【００３５】
まず、保証書用紙１０を商品の箱に添付する。このときに保証書用紙１０を従来のように袋に入れる必要はないので、作業が簡単となる。
【００３６】
販売店が商品を販売するときに、保証書用紙１０を箱から取り出し、ミシン目２６で、台紙部１８及びラベル部２０とを、第２用紙部１６から切り離す。そして、切断線２８，３０によって囲まれている製造番号とバーコードを、台紙部１８とラベル部２０から切り離し、各販売店が所有する記録台帳又は登録申込書に貼り付ける。このときに台紙部１８の表面はシリコン樹脂が塗布されているので、ラベル部２０の表面にホットメルト系の接着剤が塗布されていても簡単に剥がせ、また、記録台帳又は登録申込書に貼り付けるときは、ラベル部２０は、ホットメルト系の接着剤によって完全に貼り付けることができる。そして、第１用紙部１４の販売店記載欄に販売店名を記載し、お買い上げ日記載欄に購入日を記載し、その後に表紙部１２、第１用紙部１４、第２用紙部１６を折り目２２、２４で再び折って、保証書用紙１０の印刷用紙部をお客に渡す。
【００３７】
（４）効果
本実施例の製造方法であると、保証書用紙１０に販売店が控えるためのラベル部２０を同時に形成することができるので、ラベルを別途製造する必要がなくコストダウンを図れる。また、ラベル部２０と第１用紙部１４とに同時に製造番号を印字するため、従来のような照合作業が不要となる。
【００３８】
また、本実施例の保証書用紙１０であると、保証書用紙１０を袋に入れる必要がないので作業が簡単となり、また、袋代が不要となってコストダウンとなり、不要な袋が発生しないので環境にも配慮できる。
【００３９】
（５）変更例
本発明は上記各実施例に限らず、その主旨を逸脱しない限り種々に変更することができる。
【００４０】
上記実施例では、印刷用紙部は、表紙部１２、第１用紙部１４、第２用紙部１６を有していたが、表紙を設けず第１用紙部１４と第２用紙部１６だけでもよく、また、第１用紙部１４だけでもよい。
【００４１】
また、ラベル部２０にバーコードを印刷したが、製造番号のみを印刷してもよい。
【００４２】
また、第２用紙部１６の表面に、商品名記載欄、製造番号記載欄、保証期間欄、お買い上げ日記載欄、販売店記載欄を記載し、第１用紙部１４の表面に、販売元の会社やその他の事項を記載してもよい。
【符号の説明】
【００４３】
１０  保証書用紙
１２  表紙部
１４  第１用紙部
１６  第２用紙部
１８  台紙部
２０  ラベル部
２２  折り目
２４  折り目
２６  ミシン目
２８  切断線
３０  切断線
３２  折り目
【図１】
2011131540.tif 000003
【図２】
2011131540.tif 000004
【図３】
2011131540.tif 000005
【図４】
2011131540.tif 000006